(57)【特許請求の範囲】
【請求項１】
遊技球が流下する遊技領域が画成された遊技盤に配設されて演出領域を形成する装飾部材と、前記装飾部材における演出領域の内周下部に遊技球が転動可能に設けられて転動した遊技球が遊技領域に落下する球案内面と、前記遊技盤の後側に配設されて前記演出領域を介して該遊技盤の前側に臨むと共に前記遊技領域を流下する遊技球の始動入賞口への入賞を契機として図柄変動演出が行なわれる表示装置と、前記始動入賞口に入賞した遊技球の有効保留数を表示する保留表示手段と、前記表示装置の前方に重なる位置に移動可能な演出部材とを備えた遊技機において、
前記保留表示手段は、
前記球案内面より下方に配設された本体部と、
前記本体部から上方に突出すると共に前記球案内面の延在方向へ屈曲するよう設けられて前記演出領域の外周部側に位置するよう球案内面より上方に位置し、当該球案内面との間に前後に開口する隙間を形成する保留表示部とを備え、
前記演出領域に臨む表示装置の前方に重なるよう前記保留表示手段の保留表示部が位置すると共に、当該保留表示手段と前記表示装置との間に前記演出部材が配設され、
前記演出部材は、前記保留表示手段の後方に重なると共に前記保留表示部および前記球案内面の間の隙間を介して一部を前側から視認可能な第１姿勢と、当該隙間を介して前側から視認可能な部分が前記保留表示部の配設位置よりも前記演出領域の中央側に移動して前側から視認可能となる第２姿勢とに姿勢変位可能に構成された
ことを特徴とする遊技機。
【請求項２】
遊技球が入賞可能な始動入賞口として第１始動入賞口および第２始動入賞口が設けられて、
前記保留表示部は、
前記球案内面の延在方向の一方端側に位置して前記第１始動入賞口に入賞した遊技球の前記有効保留数を表示する第１保留表示部と、前記球案内面の延在方向の他方端側に位置して前記第２始動入賞口に入賞した遊技球の前記有効保留数を表示する第２保留表示部とを備え、前記本体部から上方に突出した前記第１保留表示部が第２保留表示部の配置側に屈曲すると共に、前記本体部から上方に突出した前記第２保留表示部が第１保留表示部の配置側に屈曲するよう設けられ、
前記演出部材は、前記第１姿勢において前記第１および第２保留表示部の一方と前記球案内面との間の隙間を介して前側から視認可能な第１の装飾部と、当該第１姿勢において前記第１保留表示部および第２保留表示部の屈曲端部の間に位置して前側から視認可能な第２の装飾部とを備え、
前記遊技盤は、後側に該遊技盤との間に空間を画成する設置部材が設けられて、該設置部材の後側に前記表示装置が配設されると共に、
前記演出部材および保留表示手段が、前記設置部材の前側に配設されて、前記演出部材が第２姿勢に姿勢変位した際に、当該設置部材の装飾部が前側から視認可能に露出するよう構成された請求項１記載の遊技機。
【請求項３】
前記演出部材には、
軸部を中心として前記第１姿勢および第２姿勢に回転変位可能に支持され、前記第１姿勢において前記保留表示手段の本体部の後方に位置して前側から視認不能となると共に前記第２姿勢において前記保留表示部の配設位置よりも前記演出領域の中央側に移動して前側から視認可能となる第１演出部材と、
前記第１演出部材に支持され、当該第１演出部材に対して前記軸部側に近接した後退位置および当該軸部と反対側に延出した延出位置の間で進退移動し得る第２演出部材とを備え、
前記第１姿勢において前記保留表示部および前記球案内面の間の隙間を介して前記後退位置に位置した前記第２演出部材の一部を前側から視認し得るよう構成されて、
前記第２姿勢に姿勢変位した際に、前記隙間を介して前側から視認可能な第２演出部材の部分が前記保留表示部の配設位置よりも前記演出領域の中央側に移動して前側から視認可能となると共に、当該第２姿勢において第２演出部材を前記延出位置に移動可能に構成された請求項１または２記載の遊技機。
【請求項４】
前記演出領域の下側領域に、前記保留表示手段の前側に位置するよう透視保護板が配設されて、
前記第１姿勢において前記透視保護板の後側に前記演出部材が位置すると共に、前記第２姿勢に姿勢変位した際に、前記隙間を介して前側から視認可能な前記部分が前記表示装置の前方で前記透視保護板より上側に位置するよう構成された請求項１〜３の何れか一項に記載の遊技機。
【発明の詳細な説明】
【技術分野】
【０００１】
この発明は、始動入賞装置に入賞した遊技球の有効保留数を表示する保留表示手段を備えた遊技機に関するものである。
【背景技術】
【０００２】
パチンコ機等に代表される遊技機は、外枠に取り付けられる中枠と、裏側に設置部材が配設されて前記中枠に取り付けられる遊技盤と、前記中枠の前側に取り付けられる前枠等を備えている。前記遊技盤は、その前側に、案内釘、各種入賞装置および演出装置等が配設された遊技領域が画成され、盤面を前後に貫通する開口が前記遊技領域内に形成されている。前記開口の開口縁には、該開口縁に沿う形状に形成された環状の装飾部材(センター役物とも称される)が配設され、この装飾部材の内側開口が演出領域とされている。前記設置部材は、遊技盤の後面から後方へ離間して該後面と平行となる設置壁部を備えると共に、この設置壁部の中央には前記演出領域と前後に対向する表示開口が形成されている。前記設置壁部の後側には、表示部を前記表示開口に臨ませた状態で表示装置が取付けられると共に、該設置壁部の前側には、各種の演出装置が取付けられる。そして、前記表示装置の表示部および演出装置は、前記装飾部材の演出領域に臨んで遊技盤の前側から視認されるよう構成されている。このような遊技機は、パチンコ遊技に際して、前記遊技領域内へ打ち出した遊技球が該遊技領域における前記装飾部材の下方に配設した始動入賞装置に入賞すると、前記表示装置の表示部において図柄変動演出が行なわれると共に、この図柄変動演出に合わせて前記演出装置が、該演出装置に設けられた演出部材を姿勢変位させたり移動させて演出動作を行なうよう構成されている。
【０００３】
前記遊技機では、パチンコ遊技において、前記表示装置の表示部での図柄変動演出中に前記始動入賞装置に次の遊技球が入賞して検出されると、予め設定された数(例えば４個)までを有効保留として記憶して、先に入賞した遊技球による表示部での図柄変動演出が終了すると、次に入賞した遊技球による図柄変動演出を連続して行なうようになっている。そして遊技機は、入賞した遊技球の有効保留数を表示する保留表示手段を備えており、遊技者に入賞した遊技球の有効保留数を表示するようになっている。ここで前記保留表示手段としては、前記設置壁部の前側における表示開口に隣接する部分に配設した複数のＬＥＤランプから構成されたものや、該表示装置の表示部に絵柄や図柄等で表示するよう構成したもの等が挙げられる。このような入賞した遊技球の有効保留数を表示する保留表示手段を備えた遊技機は、特許文献１に開示されている。
【先行技術文献】
【特許文献】
【０００４】
【特許文献１】特開２００３−３４００３８号公報
【発明の概要】
【発明が解決しようとする課題】
【０００５】
ところで前記演出装置は、前記表示装置の表示部より前側において該表示部の上下または左右の周囲に配設されており、前記演出部材のサイズを大型にしたり、該演出部材の移動量を大きく設定することで、演出効果を高めることができる。従って前記演出装置は、前記表示装置の表示部での図柄変動演出の内容に連動して、前記演出部材を該表示部の前側へ延出するよう構成したものも多く実施されている。このように演出部材が表示装置の前側または表示部の前側まで延出して、かつ該演出部材が延出した状態のまま暫く停止するような演出態様の場合には、前記保留表示手段の前側に演出部材が位置して該保留表示手段が隠れてしまい、入賞した遊技球の有効保留数を遊技者が迅速に確認できない不都合が発生している。
【０００６】
そこで本発明は、前述した課題を解決するために案出されたものであって、演出部材の移動に影響されることなく、保留表示手段による有効保留数の表示を確認し得るよう構成した遊技機を提供することを目的とする。
【課題を解決するための手段】
【０００７】
前記課題を克服し、所期の目的を達成するため、本願の請求項１に係る発明は、
遊技球が流下する遊技領域(10)が画成された遊技盤(D)に配設されて演出領域(28A)を形成する装飾部材(28)と、前記装飾部材(28)における演出領域(28A)の内周下部に遊技球が転動可能に設けられて転動した遊技球が遊技領域(10)に落下する球案内面(91)と、前記遊技盤(D)の後側に配設されて前記演出領域(28A)を介して該遊技盤(D)の前側に臨むと共に前記遊技領域(10)を流下する遊技球の始動入賞口(20A,20B)への入賞を契機として図柄変動演出が行なわれる表示装置(H)と、前記始動入賞口(20A,20B)に入賞した遊技球の有効保留数を表示する保留表示手段(50)と、前記表示装置(H)の前方に重なる位置に移動可能な演出部材(102,103)とを備えた遊技機において、
前記保留表示手段(50)は、
前記球案内面(91)より下方に配設された本体部(51)と、
前記本体部(51)から上方に突出すると共に前記球案内面(91)の延在方向へ屈曲するよう設けられて前記演出領域(28A)の外周部側に位置するよう球案内面(91)より上方に位置し、当該球案内面(91)との間に前後に開口する隙間を形成する保留表示部(52,53)とを備え、
前記演出領域(28A)に臨む表示装置(H)の前方に重なるよう前記保留表示手段(50)の保留表示部(52,53)が位置すると共に、当該保留表示手段(50)と前記表示装置(H)との間に前記演出部材(102,103)が配設され、
前記演出部材(102,103)は、前記保留表示手段(50)の後方に重なると共に前記保留表示部(52,53)および前記球案内面(91)の間の隙間を介して一部を前側から視認可能な第１姿勢と、当該隙間を介して前側から視認可能な部分が前記保留表示部(52,53)の配設位置よりも前記演出領域(28A)の中央側に移動して前側から視認可能となる第２姿勢とに姿勢変位可能に構成されたことを要旨とする。
【０００８】
従って、請求項１に係る発明によれば、始動入賞口への入賞が検出された遊技球の有効保留数を表示する保留表示手段が、表示装置の表示部に前方に重なる位置に配設すると共に、保留表示手段と表示部との間に演出部材を配設したから、演出部材が表示装置の表示部の前方へ移動しても保留表示手段が該演出部材で隠れることがない。従って、演出部材の動作に影響されることなく、常に保留表示手段での有効保留数の表示を視認することができ、有効保留数を的確かつ迅速に確認することができる。
また、演出部材は、演出領域の外周部側に位置した保留表示手段の後方に重なる位置から、該演出領域の中央側に移動するよう構成されているので、該演出部材の移動中であっても保留表示手段による有効保留数の表示を適切に確認することができる。
【０００９】
請求項２に記載の発明では、
遊技球が入賞可能な始動入賞口として第１始動入賞口(20A)および第２始動入賞口(20B)が設けられて、
前記保留表示部(52,53)は、
前記球案内面(91)の延在方向の一方端側に位置して前記第１始動入賞口(20A)に入賞した遊技球の前記有効保留数を表示する第１保留表示部(52)と、前記球案内面(91)の延在方向の他方端側に位置して前記第２始動入賞口(20B)に入賞した遊技球の前記有効保留数を表示する第２保留表示部(53)とを備え、前記本体部(51)から上方に突出した前記第１保留表示部(52)が第２保留表示部(53)の配置側に屈曲すると共に、前記本体部(51)から上方に突出した前記第２保留表示部(53)が第１保留表示部(52)の配置側に屈曲するよう設けられ、
前記演出部材(102,103)は、前記第１姿勢において前記第１および第２保留表示部(52,53)の一方と前記球案内面(91)との間の隙間を介して前側から視認可能な第１の装飾部(120)と、当該第１姿勢において前記第１保留表示部(52)および第２保留表示部(53)の屈曲端部の間に位置して前側から視認可能な第２の装飾部(121)とを備え、
前記遊技盤(D)は、後側に該遊技盤(D)との間に空間を画成する設置部材(30)が設けられて、該設置部材(30)の後側に前記表示装置(H)が配設されると共に、
前記演出部材(102,103)および保留表示手段(50)が、前記設置部材(30)の前側に配設されて、前記演出部材(102,103)が第２姿勢に姿勢変位した際に、当該設置部材(30)の装飾部が前側から視認可能に露出するよう構成されたことを要旨とする。
【００１０】
請求項３に記載の発明では、
前記演出部材(102,103)には、
軸部(106)を中心として前記第１姿勢および第２姿勢に回転変位可能に支持され、前記第１姿勢において前記保留表示手段(50)の本体部(51)の後方に位置して前側から視認不能となると共に前記第２姿勢において前記保留表示部(52,53)の配設位置よりも前記演出領域(28A)の中央側に移動して前側から視認可能となる第１演出部材(102)と、
前記第１演出部材(102)に支持され、当該第１演出部材(102)に対して前記軸部(106)側に近接した後退位置および当該軸部(106)と反対側に延出した延出位置の間で進退移動し得る第２演出部材(103)とを備え、
前記第１姿勢において前記保留表示部(52,53)および前記球案内面(91)の間の隙間を介して前記後退位置に位置した前記第２演出部材(103)の一部を前側から視認し得るよう構成されて、
前記第２姿勢に姿勢変位した際に、前記隙間を介して前側から視認可能な第２演出部材(103)の部分が前記保留表示部(52,53)の配設位置よりも前記演出領域(28A)の中央側に移動して前側から視認可能となると共に、当該第２姿勢において第２演出部材(103)を前記延出位置に移動可能に構成されたことを要旨とする。
【００１１】
請求項４に記載の発明では、
前記演出領域(28A)の下側領域に、前記保留表示手段(50)の前側に位置するよう透視保護板(95)が配設されて、
前記第１姿勢において前記透視保護板(95)の後側に前記演出部材(102,103)が位置すると共に、前記第２姿勢に姿勢変位した際に、前記隙間を介して前側から視認可能な前記部分が前記表示装置(H)の前方で前記透視保護板(95)より上側に位置するよう構成されたことを要旨とする。
従って、請求項４に係る発明によれば、演出領域内において遊技球が保留表示手段の前側へ移動しても、該遊技球は透視保護板に衝突して保留表示手段には衝突しないから、該保留表示手段の破損や表示不良等を防止し得る。また、透視保護板が保留表示手段の前側に配設されていても、該保留表示手段による入賞球の有効保留数の表示を適切に確認することができる。
【発明の効果】
【００１２】
本願発明に係る遊技機によれば、演出部材の移動に影響されることなく、保留表示手段による有効保留数の表示を確認することができる。
【図面の簡単な説明】
【００１３】
【図１】実施例のパチンコ機の正面図である。
【図２】実施例のパチンコ機における遊技盤の正面図である。
【図３】図２のIII−III線断面図である。
【図４】可動演出装置等を設置した設置部材に、保留表示装置を取付ける状態を示す斜視図である。
【図５】前側から見た保留表示装置の分解斜視図である。
【図６】後側から見た保留表示装置の分解斜視図である。
【図７】第３姿勢に姿勢変位した可動演出装置の正面図である。
【図８】可動演出装置の分解斜視図である。
【図９】(ａ)は、可動演出装置が第１姿勢における設置部材の正面図であり、(ｂ)は、(ａ)のIX−IX線断面図である。
【図１０】(ａ)は、可動演出装置が第３姿勢における設置部材の正面図であり、(ｂ)は、可動演出装置を除く各部材を、(ａ)のＸ−Ｘ線で破断した断面図である。
【発明を実施するための形態】
【００１４】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１５】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０への遊技球(パチンコ球)の入賞)を契機として演出用の図柄を変動表示させて図柄変動演出を行なう図柄表示装置(表示装置)Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方に遊技球を貯留する下球皿Ｆが前記中枠Ｂに組み付けられる。更に、前記前枠Ｃの下部位置に、遊技球を貯留する上球皿Ｅが一体的に組み付けられており、前枠Ｃの開閉に合わせて上球皿Ｅも一体的に開閉するよう構成される。
【００１６】
前記中枠Ｂの右下方位置には、該中枠Ｂに配設された打球発射装置(図示せず)を作動する操作ハンドルＧが設けられており、該操作ハンドルＧの操作により打球発射装置が作動することで、前記上球皿Ｅに貯留された遊技球が所定間隔で１球ずつ前記遊技盤Ｄに向けて連続的に発射されるようになっている。なお実施例では、前記図柄表示装置Ｈとして、各種図柄を表示可能な液晶パネルからなる表示演出部Ｈ１を備えて該表示演出部Ｈ１を収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１７】
(遊技盤)
前記遊技盤Ｄは、図２に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には図３および図４に示す設置部材３０が配設されている。また、前記遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射された遊技球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１８】
前記遊技盤Ｄには、図３に示すように、中央に大きな貫通口１４が形成され、演出領域として前後に開口した表示窓口２８Ａが形成された枠状装飾部材(装飾部材)２８が、該貫通口１４の開口縁を覆うように配設されている。この枠状装飾部材２８には、遊技盤Ｄの前側に露出する部分に、前記設置部材３０の後側に着脱可能に配設された前記図柄表示装置Ｈ(図３参照)の表示演出部Ｈ１で表示される図柄変動演出の内容に合わせた装飾が施されている。そして、図２および図４に示すように、前記枠状装飾部材２８の表示窓口２８Ａには、前記設置部材３０の後側に配設された図柄表示装置Ｈの表示演出部Ｈ１や、該設置部材３０の前側に配設される後述の可動演出装置１００および第１〜第３の装飾部材４０,４１,４２や、後述する保留表示装置５０等が臨むように構成されている。
【００１９】
また、前記枠状装飾部材２８は、図２および図３に示すように、表示窓口２８Ａの左側部に、遊技領域１０に開口すると共に該表示窓口２８Ａの左側下部に開口する球通入口９０が形成され、表示窓口２８Ａの内周下部には、左右に延在すると共に前記球通入口９０に連通する球案内面９１が設けられている。更に、前記枠状装飾部材２８における前記始動入賞装置２０の上側に位置する部分には、前記球案内面９１に開口すると共に前記遊技領域１０に開口する球通出口９２が設けられている。従って、遊技領域１０を流下した遊技球の一部は、前記球通入口９０を介して前記球案内面９１内に流入し、該球案内面９１の上面を左右に転動した後、該案内面９１から前方へ移動して遊技領域１０へ落下するか前記球通出口９２を介して前記始動入賞装置２０の上方へ落下するようになっている。
【００２０】
そして、前記枠状装飾部材２８には、図１〜図３に示すように、前記表示窓口２８Ａの下側領域に位置する透明保護板９５が配設され、球案内面９１へ流入した遊技球が表示窓口２８Ａから後方へ落下するのを防止するようになっている。前記透明保護板９５は、透明な板状部材であって、前記球案内面９１の後側において左右に延在すると共に該球案内面９１の後端から上方へ立ち上がった第１保護板部９６と、この第１保護板部９６の上縁から前方へ延出すると共に左右に水平に延在し、前記球案内面９１の上方に位置する第２保護板部９７とを備えている。前記第１保護板部９６は、前記球通入口９０における表示窓口２８Ａ側の開口より高く、かつ前記第１保留表示部５２および第２保留表示部５３の上縁より僅かに高い位置まで立ち上がった高さに設定されている。なお、透明保護板９５は、その後側に配設された前記第１保留表示部５２および第２保留表示部５３や、後述する第１装飾部材４０および後述する可動演出装置１００の透視を阻害しない。
【００２１】
また前記遊技盤Ｄには、前記貫通口の真下における左右中央に第１装着口１５(図３参照)が開設され、該貫通口の左下方(第１装着口１５の左側)に第２装着口(図示せず)が開設されている。前記第１装着口１５内の上方には始動入賞装置２０が前側から配設されると共に、該第１装着口１５内の下方には特別入賞装置２１が前側から配設され、特別入賞装置２１が始動入賞装置２０の真下に位置している。実施例における前記始動入賞装置２０は、第１始動入賞口２０Ａと、該第１始動入賞口２０Ａの真下に設けた第２始動入賞口２０Ｂとを備えており、両始動入賞口２０Ａ,２０Ｂの何れかに遊技球が入賞すると、これを契機として前記図柄表示装置Ｈが図柄変動演出を行なうようになっている。また前記第２装着口には、図２に示すように、複数(実施例では３つ)の入賞口２２Ａが配列された普通入賞具２２が配設されている。なお、遊技盤Ｄの前面における前記遊技領域１０内には、多数の球案内釘２３や回転球案内具２４等が配設されている。
【００２２】
前記始動入賞装置２０、特別入賞装置２１および普通入賞具２２には、各々に入賞した遊技球を検知する球検知スイッチが個別に配設され、各球検知スイッチからの球検知信号は、前記設置部材３０の後側に取り付けられて当該パチンコ機Ｐを総合的に制御する主制御装置(図示せず)に送出される。前記主制御装置は、前記始動入賞装置２０の球検知スイッチからの検出信号を受けると、大当たり抽選を行なうと共に、前記設置部材３０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生する場合には、図柄表示装置Ｈの表示演出部Ｈ１での図柄変動演出の後に、該表示演出部Ｈ１に所定の図柄組合わせで図柄が停止表示され、前記特別入賞装置２１の開閉扉２１Ａが開放位置に姿勢変位して多数の遊技球の入賞が可能となる。また主制御装置は、前記特別入賞装置２１の球検知スイッチからの検出信号を受けると、前記払出制御装置に制御信号を出力して前記球払出装置に所定数の賞球を払い出させる。更に主制御装置は、前記普通入賞具２２の球検知スイッチからの検出信号を受けると、前記払出制御装置に制御信号を出力して前記球払出装置に所定数の賞球を払い出させる。
【００２３】
(設置部材)
前記設置部材３０は、図２〜図４に示すように、前方に開放する略矩形のケース状に一体成形された合成樹脂製の部材であって、前側の開放端を遊技盤Ｄの後面に突き合わせて該遊技盤Ｄに取り付けられる。この設置部材３０は、遊技盤Ｄの後面に対して後方から所要の間隔で平行に対向して該遊技盤Ｄの後面を構成する設置壁部３１と、この設置壁部３１の周縁から前方へ延出形成された外周壁部３２と、この外周壁部３２の前端から外方に向けて屈曲した形状に形成された取付板部３３等を備えている。すなわち設置部材３０は、外周壁部３２で囲われて遊技盤Ｄ側に開放する前部開口が矩形状に形成されると共に、取付板部３３の外周縁が、遊技盤Ｄの外周縁より一回り小さい形状および大きさで形成されている。このような設置部材３０は、取付板部３３を遊技盤Ｄの後面にネジ止めすることで該遊技盤Ｄに固定され、遊技盤Ｄの後面から離間した設置壁部３１の前側に、前記可動演出装置１００や、第１〜第３の装飾部材４０,４１,４２や、各種付属部品等の設置を可能とする空間ＳＰを画成する。
【００２４】
前記設置部材３０の設置壁部３１には、図３および図４に示すように、前後に貫通する表示開口(表示部)３４が形成されており、該設置壁部３１の後側には、該表示開口３４に前記表示演出部Ｈ１を臨ませた状態で前記図柄表示装置Ｈが着脱可能に取り付けられる。この図柄表示装置Ｈは、前記表示演出部Ｈ１を構成する液晶パネルが収容ケースに収容されたユニット部材であって、該収容ケースの後面には、該図柄表示装置Ｈの表示演出部Ｈ１の表示制御を行なう表示制御装置と、当該パチンコ機Ｐの遊技演出を統括的に制御する前記統括制御装置が配設される。統括制御装置には、設置壁部３１の後側に配設した中継基板(図示せず)を介して前記図柄表示装置Ｈ、前記前枠Ｃに配設された照明装置や前記中枠Ｂに配設されたスピーカ等が電気的に接続されており、該統括制御装置から出力される制御信号に基づいて各装置が作動制御される。また統括制御装置には、設置壁部３１の前側に配設された前記各装飾部材４０,４１,４２や、前記可動演出装置１００等が電気的に接続されており、該統括制御装置から出力される制御信号に基づいて各照明装置の点灯制御や可動演出装置１００の作動が制御される。なお実施例では、前記設置壁部３１について、表示開口３４の上側部分を上板部３１Ａ、表示開口３４の下側部分を下板部３１Ｂ、表示開口３４の右側部分を右板部３１Ｃ、表示開口３４の左側部分を左板部３１Ｄと各々指称する。前記設置壁部３１の上板部３１Ａ、下板部３１Ｂ、右板部３１Ｃおよび左板部３１Ｄは、前後方向への部分的な凹凸や段差があるものの、基本的には垂直に形成されて前記遊技盤Ｄの後面と平行になっている。
【００２５】
実施例のパチンコ機Ｐでは、図４、図９および図１０に示すように、前記設置壁部３１における左板部３１Ｄの前面下側に、前記下板部３１Ｂの前方に延出する前記可動演出装置１００が配設されている。そして、前記設置壁部３１における下板部３１Ｂの前面には、前記表示開口３４の左右開口幅と略同じ左右寸法の前記第１装飾部材４０が配設され、前記左板部３１Ｄの前面上側に第２装飾部材４１が配設されると共に、右板部３１Ｃの前面に第３装飾部材４２が配設されている。また、前記下板部３１Ｂにおける前記第１装飾部材４０の下側には、左右方向へ延在して右側部分が上方へ突出すると共に所要の前後幅に形成された底壁部材４３が配設されている。これにより、前記第１装飾部材４０の前側には、上方および前方に開口する凹みが形成されている。この凹みは、図９(ｂ)および図１０(ｂ)に示す後述の収容空間８６を画成するもので、前記底壁部材４３は該収容空間８６の下面を画成する。
【００２６】
(保留表示装置)
そして、実施例のパチンコ機Ｐでは、パチンコ遊技において、前記図柄表示装置Ｈの表示演出部Ｈ１での図柄変動演出中に前記始動入賞装置２０の第１始動入賞口２０Ａまたは第２始動入賞口２０Ｂに次の遊技球が入賞して検出されると、予め設定された数(実施例では各々の始動入賞口２０Ａ,２０Ｂ毎に４個)までを有効保留として記憶して、先に入賞した遊技球による表示部での図柄変動演出が終了すると、次に入賞した遊技球による図柄変動演出を連続して行なうようになっている。このため前記パチンコ機Ｐでは、前記始動入賞装置２０の第１始動入賞口２０Ａで発生した保留球に係る有効保留数と、前記第２始動入賞口２０Ｂで発生した保留球に係る有効保留球とを表示する保留表示手段としての保留表示装置５０が、図３、図４、図９および図１０に示すように、前記底壁部材４３の前側および可動演出装置１００の前側に取付けられている。すなわち前記保留表示装置５０は、前記設置部材３０の設置壁部３１の前側に配設された前記可動演出装置１００や、第１〜第３の各装飾部材４０,４１,４２および底壁部材４３より前側に位置するよう配設されている。
【００２７】
前記保留表示装置５０は、図３〜図６に示すように、前記表示開口３４の左右開口幅と略同じ横幅寸法で横長に形成されて、前記底壁部材４３の前側および可動演出装置１００の前側に固定される本体部５１と、この本体部５１の上部左側から上方へ突出すると共に右方へ屈曲して延出する第１保留表示部５２と、前記本体部５１の上部右側から上方へ突出すると共に左方へ屈曲して延出する第２保留表示部５３とを備えている。前記第１保留表示部５２は、前記始動入賞装置２０の第１始動入賞口２０Ａに入賞した遊技球の有効保留数を表示するものであり、前記第２保留表示部５３は、該始動入賞装置２０の第２始動入賞口２０Ｂに入賞した遊技球の有効保留数を表示するものである。このような保留表示装置５０は、前記本体部５１、第１保留表示部５２および第２保留表示部５３を一体に形成した前パネル部材５５と、この前パネル部材５５の後側に取付けられた後パネル部材５６と、これら前パネル部材５５と後パネル部材５６との間に挟持された表示基板５７とで構成されている。
【００２８】
(前パネル部材)
前記前パネル部材５５は、図５および図６に示すように、本体部５１、第１保留表示部５２および第２保留表示部５３の前面を構成する前板５５Ａと、この前板５５Ａの外縁から後方へ突出すると共に該外縁に沿って延在する外周リブ５５Ｂとを一体に成形した成形部材であり、前記外周リブ５５Ｂで囲まれた前板５５Ａの後側部分が、前記表示基板５７を収容する基板収容部とされている。なお、前記前パネル部材５５は、単一に構成されたものや、複数に分割された成形部材から構成されたものであってもよい。
【００２９】
前記前パネル部材５５において前記第１保留表示部５２に対応する部位には、図５および図６に示すように、複数(実施例では４個)の開口５８が右下がりの直線上に一列に形成されており、各開口５８に整合するレンズ部５９Ａを備えたレンズ部材５９が後側から配設される。また、前記前パネル部材５５において前記第２保留表示部５３に対応する部位には、複数(実施例では４個)の開口６０が左下がりの直線上に一列に形成されており、各開口６０に整合するレンズ部６１Ａを備えたレンズ部材６１が後側から配設されている。前記各レンズ部材５９,６１は、光の透過が可能な透明または半透明の部材であり、レンズ部５９Ａ,６１Ａの前面は凹凸状または多面状に形成されて光拡散効果を有すると共に、必要に応じて適宜の色に着色される。また、前記パネル部材５５の前板５５Ａにおいて前記本体部５１に対応する部位には、該本体部５１の上縁に沿って左右方向へ複数(実施例では４個)の開口６２が形成されており、前記表示基板５７に設けた発光体としてのＬＥＤ６６が各開口６２に臨むようになっている。このような実施例の保留表示装置５０は、図１および図２に示すように、前記第１保留表示部５２および第２保留表示部５３が表示窓口２８Ａ内へ突出し、前記本体部５１は枠状装飾部材２８の後側に位置するようになっている。
【００３０】
前記パネル部材５５の前記本体部５１の上縁には、前側および上側に開口した凹部６３が形成されており、遊技盤Ｄの後面に設置部材３０を取付けた際に前記枠状装飾部材２８に設けた後述する球通出口９２と前記凹部６３とが整合して、保留表示装置５０と枠状装飾部材２８との干渉を回避するようになっている。なお、前記本体部５１の右側前部は、前記枠状装飾部材２８の右下部に形成された円形状の装飾部(図２参照)を後側から照明する照明装置６８が取付けられるようになっている(図４参照)。
【００３１】
(表示基板)
前記表示基板５７は、図５および図６に示すように、前記前パネル部材５５の外周リブ５５Ｂの内周輪郭形状より一回り小さい外周輪郭形状に形成され、前記本体部５１の後側から前記第１保留表示部５２の後側および第２保留表示部５３の後側まで延在している。この表示基板５７の前面には、前記第１保留表示部５２に設けた４個の開口に各々対応する発光体としての４個のＬＥＤ６４と、前記第２保留表示部５３に設けた４個の開口に各々対応する４個のＬＥＤ６５と、前記本体部５１に設けた開口６２に各々２個ずつが対応する８個のＬＥＤ６６とが配設されている。従って、前記第１保留表示部５２には、前記レンズ部材５９の各レンズ部５９Ａおよび各ＬＥＤ６４が１つずつ対をなした合計４個の保留表示ランプ７１,７２,７３,７４が設けられ、前記第２保留表示部５３には、前記レンズ部材６１の各レンズ部６１Ａおよび各ＬＥＤ６５が１つずつ対をなした合計４個の保留表示ランプ７５,７６,７７,７８が設けられている。また、前記各開口６２に臨む各ＬＥＤ６６は、前記本体部５１の前側に位置する前記枠状装飾部材２８の後側に位置して、該枠状装飾部材２８の対向する部位を後側から照射する。なお、前記表示基板５７の後面には、前記設置部材３０の設置壁部３１の後側に配設した中継基板(図示せず)からの配線が接続されるコネクタ接続端子６９が配設されている。
【００３２】
(後パネル部材)
後パネル部材５６は、図５および図６に示すように、前記前パネル部材５５の後面に後方へ突設した複数のボス８０に整合するネジ挿通孔８１が形成されており、該後パネル部材５６の後側から該ネジ挿通孔８１を介して前記ボス８０の先端に形成したネジ孔へネジ(図示せず)を締結することで、前パネル部材５５の後側に取付けられる。前記後パネル部材５６の前面には、後方へ凹んだ凹み部８２が形成されており、この凹み部８２の周囲が前記表示基板５７の後面に接触することで該後パネル部材５６と表示基板５７の後面との間に空間を画成するようになっている。従って後パネル部材５６は、表示基板５７の回路部品６７(図６参照)の配設部位に前記凹み部８２が整合することで、該回路部品６７が該後パネル部材５６に接触することを防止するよう構成されている。
【００３３】
前述のように構成された実施例の保留表示装置５０は、図３、図９および図１０に示すように、前パネル部材５５を前側に向けた姿勢で、前記底壁部材４３および可動演出装置１００の前側に取付けられ、前記第１装飾部材４０の前側に画成された凹みの前側開口を塞ぐように配設される。前パネル部材５５には、前後に貫通するネジ挿通孔８４が複数(実施例では４個)形成され、前記底壁部材４３の前面および可動演出装置１００の装置本体１０１の前面には、図４に示すように各ネジ挿通孔８４に整合するネジ締結ボス８５が形成されており、保留表示装置５０の前側から前記ネジ挿通孔８４を介してネジ(図示せず)をネジ締結ボス８５に締結することで、該保留表示装置５０が底壁部材４３の前側および可動演出装置１００の前側に固定される。そして、底壁部材４３および可動演出装置１００の装置本体１０１に取付けられた保留表示装置５０の後側には、図３、図９(ｂ)、図１０(ｂ)に示すように、前記第１装飾部材４０との間に、該底壁部材４３の前後幅と同じ前後幅で上方へ開口した収容空間８６が画成される。
【００３４】
前記設置部材３０の設置壁部３１における下板部３１Ｂの前方に配設された前記保留表示装置５０は、図２および図３に示すと共に前述したように、当該設置部材３０を遊技盤Ｄの後側に取付けると、前記第１保留表示部５２および第２保留表示部５３が表示窓口２８Ａ内へ下方から突出し、前記本体部５１は枠状装飾部材２８の後側に位置する。そして、前記第１保留表示部５２および第２保留表示部５３は、前記設置部材３０に設けられた表示窓口２８Ａの外周部側に位置して、該表示開口３４に臨む図柄表示装置Ｈの表示演出部Ｈ１の前方に重なるように位置している。すなわち、第１保留表示部５２および第２保留表示部５３は、前記表示演出部Ｈ１の下側に重なるように位置している。
【００３５】
(第１保留表示部)
前記第１保留表示部５２は、図２および図４に示すように、前記レンズ部材５９の各レンズ部５９Ａおよび各ＬＥＤ６４からなる４個の保留表示ランプ、すなわち正面左側から第１保留表示ランプ７１、第２保留表示ランプ７２、第３保留表示ランプ７３および第４保留表示ランプ７４を備えている。このような第１保留表示部５２は、前記始動入賞装置２０の第１始動入賞口２０Ａにおいて遊技球の連続入賞により有効保留数が「１」となった場合には、前記第１保留表示ランプ７１のＬＥＤ６４が発光制御され、これにより該第１保留表示ランプ７１が点灯して有効保留数が１つであることを表示する。そして、第１始動入賞口２０Ａにおける有効保留数が「２」となった場合には、更に前記第２保留表示ランプ７２のＬＥＤ６４が発光制御され、前記第１保留表示ランプ７１および当該第２保留表示ランプ７２が同時に点灯して有効保留数が２つであることを表示する。また、第１始動入賞口２０Ａにおける有効保留数が「３」となった場合には、第１〜第３の各保留表示ランプ７１,７２,７３が同時に点灯して有効保留数が３つであることを表示し、第１始動入賞口２０Ａにおける有効保留数が「４」となった場合には、第１〜第４の各保留表示ランプ７１,７２,７３,７４が同時に点灯して有効保留数が４つであることを表示するようになっている。
【００３６】
(第２保留表示部)
前記第２保留表示部５３は、図２および図４に示すように、前記レンズ部材６１の各レンズ部６１Ａおよび各ＬＥＤ６５からなる４個の保留表示ランプ、すなわち正面右側から第５保留表示ランプ７５、第６保留表示ランプ７６、第７保留表示ランプ７７および第８保留表示ランプ７８を備えている。このような第２保留表示部５３は、前記始動入賞装置２０の第２始動入賞口２０Ｂにおいて遊技球の連続入賞により有効保留数が「１」となった場合には、前記第５保留表示ランプ７５のＬＥＤ６５が発光制御され、これにより該第５保留表示ランプ７５が点灯して有効保留数が１つであることを表示する。そして、第２始動入賞口２０Ｂにおける有効保留数が「２」となった場合には、更に前記第６保留表示ランプ７６のＬＥＤ６５が発光制御され、前記第５保留表示ランプ７５および当該第６保留表示ランプ７６が同時に点灯して有効保留数が２つであることを表示する。また、第２始動入賞口２０Ｂにおける有効保留数が「３」となった場合には、第５〜第７の各保留表示ランプ７５,７６,７７が同時に点灯して有効保留数が３つであることを表示し、第２始動入賞口２０Ｂにおける有効保留数が「４」となった場合には、第５〜第８の各保留表示ランプ７５,７６,７７,７８が同時に点灯して有効保留数が４つであることを表示するようになっている。
【００３７】
前記第１保留表示部５２および第２保留表示部５３の前側には、図１〜図３に示すと共に前述したように、前記枠状装飾部材２８に配設した前記透明保護板９５が位置している。従って、前記球通入口９０から表示窓口２８Ａ内へ流入した遊技球が、前記第１保留表示部５２および第２保留表示部５３の前側において球案内面９１を転動する際に、前記透明保護板９５により両保留表示部５２,５３の前面に接触することが防止されるようになっている。
【００３８】
(可動演出装置)
前記可動演出装置１００は、図７〜図１０に示すように、前記設置壁部３１の左板部３１Ｄの前面下部から下板部３１Ｂの前面左部の部位に固定される装置本体１０１と、この装置本体１０１に回転可能に配設された第１演出部材１０２と、この第１演出部材１０２に進退可能に配設された第２演出部材１０３とを備えている。この可動演出装置１００は、非作動時において、前記第２演出部材１０３が第１演出部材１０２側に移動した状態で、前記保留表示装置５０と前記図柄表示装置Ｈとの間に上方から収容されると共に、作動時には上方へ回転して前記表示開口３４の中央側に向けて右上がりの傾斜状に姿勢変位するようになっている。すなわち可動演出装置１００は、前記保留表示装置５０の後方に重なって位置する第１姿勢(図９参照)と、この第１姿勢から前記第１演出部材１０２が回転して(第２演出部材１０３に後退したまま)、保留表示装置５０の配設位置よりも表示窓口２８Ａの中央側に移動して前記表示開口３４の前方へ延出した第２姿勢と、更に第２姿勢の状態から第２演出部材１０３が第１演出部材１０２から延出した第３姿勢(図１０参照)とに姿勢変位が可能となっている。
【００３９】
(装置本体)
装置本体１０１は、図７および図８に示すように、前後に組付けられる前ケース体１０４および後ケース体１０５を備え、これら前ケース体１０４と後ケース体１０５とを組付けることで、右側に開口した内部空間を画成して前記第１演出部材１０２を収容保持し得るように構成されている。前記前ケース体１０４および後ケース体１０５には、前記第１演出部材１０２を回転自在に支持する回転支持部１０６,１０６が、前後方向に回転中心軸を延在させた状態で形成されている。また、後ケース体１０５の上部には、前記第１演出部材１０２を回転変位させる第１駆動手段としての第１電動モータ１０７が取付けられている。このような装置本体１０１は、ネジ等により前記設置壁部３１の左板部３１Ｄの前側に固定される。
【００４０】
(第１演出部材)
前記第１演出部材１０２は、図７および図８に示すように、前後に組付けられる前半体１０８および後半体１０９と、これら前半体１０８および後半体１０９の間に配設される仕切板１１０とを備え、該仕切板１１０を挟んで前半体１０８と後半体１０９とを組付けることで、前記仕切板１１０の前後に各々空間が画成された中空体として構成されている。そして第１演出部材１０２は、前記装置本体１０１に設けた回転支持部１０６,１０６に前後から支持されて、該回転支持部１０６を中心として回転が可能となっている。前記後半体１０９の後面には、前記回転支持部１０６の回転中心に円弧中心が整合した円弧状のラックギア１１１が配設されており、このラックギア１１１は、前記第１電動モータ１０７の駆動軸に設けた駆動ギアと中間ギア１１２を介して連係されている。従って第１演出部材１０２は、第１電動モータ１０７の駆動により、前記回転支持部１０６を中心として垂直面に沿って回転変位する。
【００４１】
前記第１演出部材１０２の仕切板１１０には、図８に示すように、該仕切板１１０の前面下部に、前記第２演出部材１０３をスライド可能に支持する一対のガイドレール１１３,１１３が、上下方向に離間して平行に配設されている。また、前記仕切板１１０における前記ガイドレール１１３の間には、該仕切板１１０を前後に貫通すると共に該ガイドレール１１３,１１３と平行に延在する第１スリット１１４が形成されている。この第１スリット１１４には、前記第２演出部材１０３に後方へ延出するように設けられたガイドピン１２３(図８参照)が前側から係合して摺動するようになっている。また、仕切板１１０の前面上部には、前記第２演出部材１０３を前記ガイドレール１１３,１１３に沿って往復スライド移動させる第２駆動手段としての第２電動モータ１１５が配設されている。更に、前記仕切板１１０には、前記装置本体１０１の回転支持部１０６,１０６と同一軸線上に位置する第２回転支持部１１６が設けられており、該仕切板１１０の後側には、この第２回転支持部１１６に回転自在に支持されるレバー体１１７が配設されている。
【００４２】
前記レバー体１１７には、図８に示すように、前記第２回転支持部１１６を中心とした円弧状の第２ラックギア１１８が配設され、この第２ラックギア１１８は、前記第２電動モータ１１５の駆動軸に固定された駆動ギアと連係している。また、レバー体１１７は、前記ガイドレール１１３,１１３と前後に重なる位置に延在する第２スリット１１９が形成されており、前記第２演出部材１０３に設けた前記ガイドピン１２３が前側から係合して摺動するようになっている。
【００４３】
(第２演出部材)
前記第２演出部材１０３は、図８に示すように、前記ガイドレール１１３,１１３に摺動可能に係合する支持部１２０と、この支持部１２０の右端に環一体成形された環状部１２１とを備えている。前記支持部１２０には、前記ガイドレール１１３,１１３に各々摺動可能に係合するスライド部１２２,１２２が設けられる共に、前記第１スリット１１４を貫通して前記第２スリット１１９に摺動可能に係合する前記スライドピン１２３が設けられている。前記スライド部１２２,１２２を前記ガイドレール１１３,１１３に係合させると共に前記ガイドピン１２３を前記第２スリット１１９に係合させた状態で前記仕切板１１０に配設された前記第２演出部材１０３は、前記第２電動モータ１１５の駆動により、前記レバー体１１７が回転することで前記ガイドレール１１３,１１３に沿って往復移動し、第１演出部材１０２内に後退した後退位置(図９参照)と、該第１演出部材１０２から延出した延出位置(図１０参照)との間を進退移動するようになる。なお前記第２演出部材１０３は、前記後退位置および延出位置、そして該後退位置と延出位置との間を移動する際には、前記第１演出部材１０２より前方へ延出したり迫り出さないようになっている。
【００４４】
前記可動演出装置１００は、図９に示すように、前記収容空間８６に収容された第１姿勢において、前記第１演出部材１０２および第２演出部材１０３が前記保留表示装置５０より後方に位置している。そして可動演出装置１００は、前記第１電動モータ１０７および第２電動モータ１１５の駆動により、図１０に示すように、第３姿勢に姿勢変位した際にも、前記第１演出部材１０２および第２演出部材１０３が前記保留表示装置５０より後方を移動するようになる。更に、前記第１姿勢と第２姿勢との間を姿勢変位する際および第２姿勢と第３姿勢との間を姿勢変位する際も、前記第１演出部材１０２および第２演出部材１０３が前記保留表示装置５０より後方を移動して前方へ移動したり迫り出すことがない。
【００４５】
(実施例の作用)
前述のように構成された実施例のパチンコ機Ｐでは、前記遊技盤Ｄの遊技領域１０へ打ち出された遊技球が前記始動入賞装置２０の第１始動入賞口２０Ａまたは第２始動入賞口２０Ｂに入賞して、該始動入賞装置２０に配設された球検知スイッチによる球検知信号を前記主制御装置が受けると、該主制御装置は、大当たり抽選を行なうと共に、前記統括制御装置に制御信号を出力して前記図柄表示装置Ｈの表示演出部Ｈ１において図柄変動演出を行なわせる。そして主制御装置は、前記大当たり抽選の結果として大当たりが発生すると、前記統括制御装置を介して図柄表示装置Ｈの表示演出部Ｈ１に所定の図柄組合わせで図柄を停止表示させ、前記特別入賞装置２１の開閉扉２１Ａを開放動作させて入賞口を開放させる。また前記統括制御装置は、前記主制御装置からの制御信号に基づき、前記可動演出装置１００や、前記第１〜第３の各装飾部材４０,４１,４２や、その他の遊技部品を、前記図柄表示装置Ｈの表示演出部Ｈ１での図柄演出内容に合わせて総合的に作動制御する。
【００４６】
実施例のパチンコ機Ｐは、パチンコ遊技において、前記図柄表示装置Ｈの表示演出部Ｈ１での図柄変動演出中に前記始動入賞装置２０の第１始動入賞口２０Ａまたは第２始動入賞口２０Ｂに次の遊技球が入賞して検出されると、予め設定された数(実施例では各々の始動入賞口２０Ａ,２０Ｂ毎に４個)までを有効保留として記憶して、先に入賞した遊技球による表示部での図柄変動演出が終了すると、次に入賞した遊技球による図柄変動演出を連続して行なう。そして前記保留表示装置５０では、前記図柄表示装置Ｈの表示演出部Ｈ１での図柄変動演出中に前記始動入賞装置２０の第１始動入賞口２０Ａに次の遊技球が入賞して検出されると、該第１始動入賞口２０Ａにおいて遊技球の連続入賞により有効保留数が「１」となるので、前記第１保留表示部５２の第１保留表示ランプ７１が点灯して有効保留数が１つであることを表示する。また、前記図柄表示装置Ｈの表示演出部Ｈ１での図柄変動演出中に更に第１始動入賞口２０Ａに次の遊技球が入賞して検出されると、該第１始動入賞口２０Ａにおいて遊技球の連続入賞により有効保留数が「２」となるので、前記第１保留表示部５２の第１保留表示ランプ７１および第２保留表示ランプ７２が点灯して有効保留数が２つであることを表示する。更に、第１始動入賞口２０Ａにおける有効保留数が「３」となった場合には、第１〜第３の各保留表示ランプ７１,７２,７３が同時に点灯して有効保留数が３つであることを表示し、第１始動入賞口２０Ａにおける有効保留数が「４」となった場合には、第１〜第４の各保留表示ランプ７１,７２,７３,７４が同時に点灯して有効保留数が４つであることを表示するようになっている。なお、有効保留数が「４」の状態において更に第１始動入賞口２０Ａに遊技球が入賞した場合には、これは有効保留球としては認定されない。
【００４７】
一方、前記保留表示装置５０は、パチンコ遊技において、前記図柄表示装置Ｈの表示演出部Ｈ１での図柄変動演出中に前記始動入賞装置２０の第２始動入賞口２０Ｂに次の遊技球が入賞して検出されると、該第２始動入賞口２０Ｂにおいて遊技球の連続入賞により有効保留数が「１」となるので、前記第２保留表示部５３の第５保留表示ランプ７５が点灯して有効保留数が１つであることを表示する。また、前記図柄表示装置Ｈの表示演出部Ｈ１での図柄変動演出中に更に第２始動入賞口２０Ｂに次の遊技球が入賞して検出されると、該第２始動入賞口２０Ｂにおいて遊技球の連続入賞により有効保留数が「２」となるので、前記第２保留表示部５３の第５保留表示ランプ７５および第６保留表示ランプ７６が点灯して有効保留数が２つであることを表示する。更に、第２始動入賞口２０Ｂにおける有効保留数が「３」となった場合には、第５〜第７の各保留表示ランプ７５,７６,７７が同時に点灯して有効保留数が３つであることを表示し、第２始動入賞口２０Ｂにおける有効保留数が「４」となった場合には、第５〜第８の各保留表示ランプ７５,７６,７７,７８が同時に点灯して有効保留数が４つであることを表示するようになっている。なお、有効保留数が「４」の状態において更に第２始動入賞口２０Ｂに遊技球が入賞した場合には、これは有効保留球としては認定されない。
【００４８】
そして、前記可動演出装置１００は、前記保留表示装置５０と図柄表示装置Ｈの表示開口３４に臨む表示演出部Ｈ１との間において、前記第１姿勢と第２姿勢との間および第２姿勢と第３姿勢との間を姿勢変位する。従って、前記保留表示装置５０の第１保留表示部５２および第２保留表示部５３が、前記可動演出装置１００の姿勢変位する第１演出部材１０２および第２演出部材１０３で隠れることがない。
【００４９】
また、前記保留表示装置５０の第１保留表示部５２および第２保留表示部５３は、前記表示窓口２８Ａの外周部下側に位置して、前記図柄表示装置Ｈにおける前記表示開口３４に臨んだ表示演出部Ｈ１の前方に重なるように位置している。従って、表示演出部Ｈ１で表示される図柄演出表示と、第１保留表示部５２の第１〜第４の各保留表示ランプ７１〜７４の点灯および第２保留表示部５３の第５〜第８の各保留表示ランプ７５〜７８とが重なって表示されるようになる。特にパチンコ機では、前記図柄表示装置Ｈの表示演出部Ｈ１内の外周部下側等に画像により保留表示するものが多く、前記保留表示装置５０の第１保留表示部５２および第２保留表示部５３が前記表示演出部Ｈ１の外周部下側の前方に重なって位置しているから、遊技者は違和感なく各保留表示部５２,５３における各保留表示ランプ７１〜７８の位置を把握できる。
【００５０】
前述のように構成された実施例のパチンコ機Ｐによれば、保留表示装置５０を、図柄表示装置Ｈの表示演出部Ｈ１の前方に重なる位置に配設すると共に、保留表示装置５０と該表示演出部Ｈ１との間に可動演出装置１００を配設して、該可動演出装置１００の第１演出部材１０２および第２演出部材１０３が、保留表示装置５０と表示演出部Ｈ１との間において該保留表示装置５０の後方に重なる位置から表示窓口２８Ａの中央側に移動するよう構成したから、該保留表示装置５０の第１保留表示部５２および第２保留表示部５３が両演出部材１０２,１０３で隠れることがない。従って、可動演出装置１００の第１演出部材１０２および第２演出部材１０３の姿勢変位時の動作に影響されることなく、常に保留表示装置５０の第１保留表示部５２および第２保留表示部５３での有効保留数の表示を視認することができ、始動入賞装置２０の第１始動入賞口２０Ａの有効保留数および第２始動入賞口２０Ｂの有効保留数を的確かつ迅速に確認することができる。
【００５１】
また、前記図柄表示装置Ｈにおける前記表示開口３４に臨んだ表示演出部Ｈ１での図柄演出表示と、該表示演出部Ｈ１の前方に重なって位置する第１保留表示部５２の第１〜第４の各保留表示ランプ７１〜７４の点灯および第２保留表示部５３の第５〜第８の各保留表示ランプ７５〜７８の点灯表示とが重なるようになるから、図柄演出部Ｈ１での図柄演出表示と各第１〜第８の各保留表示ランプ７１〜７８の点灯表示とを連動させることができる。また、図柄演出部Ｈ１の前方に離れた位置で第１〜第８の各保留表示ランプ７１〜７８が点灯するので、立体感のある演出表示を行なうこともできる。
【００５２】
そして、前記保留表示装置５０は、前記可動演出装置１００等が前側に取付けられた前記設置部材３０に取付けられるから、遊技盤Ｄに対する設置部材３０の着脱により遊技盤Ｄに対して着脱されるから、該遊技盤Ｄに対する着脱作業が簡素化される。また、可動演出装置１００および保留表示装置５０は、設置部材３０を遊技盤Ｄから取り外すことで該遊技盤Ｄから簡単に取り外すことができるから、これら可動演出装置１００および保留表示装置５０の再利用が容易になる。また、前記保留表示装置５０は、前記設置部材３０の前側において前記可動演出装置１００の前側に取付けられるから、これら保留表示装置５０と該可動演出装置１００とが規定の配設位置関係で設置され、可動演出装置１００の姿勢変位時に保留表示装置５０と第１演出部材１０２および第２演出部材１０３とが接触する不都合が回避される。
【００５３】
また、実施例のパチンコ機Ｐでは、枠状装飾部材２８の表示窓口２８Ａ内において、前記保留表示装置５０の第１保留表示部５２および第２保留表示部５３の前側に前記透明保護板９５が位置するから、該表示窓口２８Ａ内の球案内面９１へ遊技球が通入されても、該遊技球と前記第１保留表示部５２および第２保留表示部５３との接触が回避され、遊技球との接触による両保留表示部５２,５３の破損や傷付きおよび故障等が発生しない。なお、透明保護板９５は保留表示装置５０の第１保留表示部５２および第２保留表示部５３を透視可能なので、該第１保留表示部５２および第２保留表示部５３による入賞球の有効保留数の表示を適切に確認することができる。
【００５４】
(変更例)
本発明に係る遊技機は、実施例に例示の形態に限らず種々の変更が可能である。
（１）実施例では、保留表示装置５０の第１保留表示部５２および第２保留表示部５３を表示窓口２８Ａの外周部下側に位置する構成を例示したが、前記第１保留表示部５２および第２保留表示部５３は、表示窓口２８Ａに臨む図柄表示装置Ｈの前方に重なる位置であれば、該表示窓口２８Ａ内の何れの位置に配設してもよい。
（２）保留表示装置５０は、表示窓口２８Ａの外周部側に配設する場合は、該演出領域の外周部下側に限らず、外周部右側、外周部左側、または外周部上側に配設してもよい。
（３）第１保留表示部５２および第２保留表示部５３の保留表示形態は、実施例に示すＬＥＤの点灯によるランプに限らず、７セグメントによる表示手段や、ドットマトリクスによる表示手段や、図柄または絵柄等の表示手段等であってもよい。
（４）保留表示装置５０は、設置部材３０に設置されるものに限らず、前記遊技盤Ｄに取付けた前記枠状装飾部材２８の後側に取付けて、保留表示部を演出領域２８Ａに臨ませるようにしてもよい。
（５）前記可動演出装置１００は、装置本体１０１における回転支持部１０６の回転中心軸を水平より僅かに後方傾斜するように設定すれば、第１演出部材１０２は垂直より僅かに後方へ傾斜した向きで回転変位するようになり、これにより第１演出部材１０２と保留表示装置５０との干渉が確実に回避される。また、前記第１演出部材１０２が僅かに後方へ傾斜した向きで回転変位することで、該第１演出部材１０２に配設された前記第２演出部材１０３は前記保留表示装置５０より前方へ延出することがない。
（６）保留表示装置５０と図柄表示装置Ｈの表示演出部Ｈ１との間に配設される可動演出装置は、保留表示装置の後方で姿勢変位するものであれば、実施例で例示する回転変位するものに限らず、演出部材が保留表示装置５０と表示演出部Ｈ１との間をスライド変位するものであってもよい。
（７）透明保護板９５は、実施例の形状に限定されず、少なくとも保留表示装置５０の表示窓口２８Ａ内に露出する部分だけをカバーし得る形状、サイズのものであればよい。
（８）実施例では、遊技機としてのパチンコ機を示したが、遊技機はパチンコ機に限られるものではなく、アレンジボール機等であってもよい。
【符号の説明】
【００５５】
１０ 遊技領域，２０Ａ 第１始動入賞口(始動入賞口)
２０Ｂ 第２始動入賞口(始動入賞口)，２８ 枠状装飾体(装飾部材)
２８Ａ 表示窓口(演出領域)，５０ 保留表示装置(保留表示手段)，５１ 本体部
５２ 第１保留表示部(保留表示部)，５３ 第２保留表示部(保留表示部)，９１ 球案内面
９５ 透視保護板，１０２ 第１演出部材(演出部材)，１０３ 第２演出部材(演出部材)
１０６ 回転支持部(軸部)，Ｄ 遊技盤，Ｈ 図柄表示装置(表示装置)
【図１】
0005791472.tif 000002
【図２】
0005791472.tif 000003
【図３】
0005791472.tif 000004
【図４】
0005791472.tif 000005
【図５】
0005791472.tif 000006
【図６】
0005791472.tif 000007
【図７】
0005791472.tif 000008
【図８】
0005791472.tif 000009
【図９】
0005791472.tif 000010
【図１０】
0005791472.tif 000011